(57)【要約】【課題】簡易な構成で、媒体を加熱する際の媒体の幅方向における温度分布が不均一となることを抑制できる印刷装置を提供する。【解決手段】印刷装置は、媒体Ｍを支持する支持面６４を有する支持部６０と、幅方向Ｘに亘って支持面６４に赤外線を照射する加熱装置７０と、支持面６４の幅方向Ｘにおける両側に設けられ、支持面６４の幅方向外側に向かう赤外線を反射する側方反射面７３１を有するサイドカバー７３と、を備える。支持面６４において、幅方向Ｘにおける中央部分を第１の支持面６４１とし、第１の支持面６４１よりも幅方向Ｘにおける外側部分を第２の支持面６４２としたとき、第２の支持面６４２は、側方反射面７３１よりも吸収率が高い。【選択図】図４
2018158463.tif 000002
【特許請求の範囲】
【請求項１】
媒体を支持する支持面を有する支持部と、
幅方向に亘って前記支持面に赤外線を照射する加熱装置と、
前記支持面の前記幅方向における両側に設けられ、前記支持面の前記幅方向外側に向かう赤外線を反射する側方反射面を有する側方反射板と、を備え、
前記支持面において、前記幅方向における中央部分を第１の支持面とし、前記第１の支持面よりも前記幅方向における外側部分を第２の支持面としたとき、
前記第２の支持面は、前記側方反射面よりも吸収率が高い
ことを特徴とする印刷装置。
【請求項２】
前記第１の支持面は、前記第２の支持面よりも吸収率が低い
ことを特徴とする請求項１に記載の印刷装置。
【請求項３】
前記支持部は、アルミニウムからなり、前記第２の支持面は、アルマイト処理される
ことを特徴とする請求項１又は請求項２に記載の印刷装置。
【請求項４】
前記加熱装置と前記支持部との間の加熱領域に気流を発生させる気流発生部をさらに備える
ことを特徴とする請求項１〜請求項３の何れか一項に記載の印刷装置。
【請求項５】
前記加熱領域において、前記第１の支持面と対向する領域に発生する気流と、前記第２の支持面と対向する領域に発生する気流と、の間に速度差が生じるように、前記気流発生部を駆動する
ことを特徴とする請求項４に記載の印刷装置。
【発明の詳細な説明】
【技術分野】
【０００１】
本発明は、印刷装置に関する。
【背景技術】
【０００２】
従来から、印刷装置の一例として、用紙などの媒体に画像を形成する作像部と、媒体に画像を定着させるために媒体を加熱する加熱装置と、を備えるプリンターが知られている。例えば、特許文献１には、媒体に赤外線を放射する赤外放射線ヒーターと、赤外放射線ヒーターの背面に設置される背面反射板と、赤外放射線ヒーターの側方に設置される側面反射板と、を備える加熱装置が記載されている。そして、この加熱装置は、媒体の幅に応じて、側面反射板を幅方向に移動させ、幅方向両側に漏れる赤外線を媒体の幅方向両端部に戻すことで、媒体を幅方向において均一に加熱する。
【先行技術文献】
【特許文献】
【０００３】
【特許文献１】特開２０１０−１６４７８７号公報
【発明の概要】
【発明が解決しようとする課題】
【０００４】
ところが、上記のような印刷装置においては、媒体の幅に応じて、側面反射板を移動可能に構成する必要がある。このため、加熱装置の構造を簡略化する点について、改善の余地が残されていた。本発明の課題は、簡易な構成で、媒体を加熱する際の媒体の幅方向における温度分布が不均一となることを抑制できる印刷装置を提供することにある。
【課題を解決するための手段】
【０００５】
以下、上記課題を解決するための手段及びその作用効果について記載する。
上記課題を解決する印刷装置は、媒体を支持する支持面を有する支持部と、幅方向に亘って前記支持面に赤外線を照射する加熱装置と、前記支持面の前記幅方向における両側に設けられ、前記支持面の前記幅方向外側に向かう赤外線を反射する側方反射面を有する側方反射板と、を備え、前記支持面において、前記幅方向における中央部分を第１の支持面とし、前記第１の支持面よりも前記幅方向における外側部分を第２の支持面としたとき、前記第２の支持面は、前記側方反射面よりも吸収率が高い。
【０００６】
上記構成によれば、支持面において幅方向における外側部分を構成する第２の支持面の吸収率が側方反射面の吸収率よりも高くされるため、加熱装置から照射される赤外線及び側方反射面で反射される赤外線を第２の支持面が吸収しやすくなる。このため、支持部の幅方向における両端部の赤外線吸収量が増大し、支持部の幅方向における両端部の温度が低下しにくくなる。したがって、媒体の幅方向における長さに関わらず、支持部に支持される媒体の幅方向における温度分布が不均一となることを抑制できる。
【０００７】
上記印刷装置において、前記第１の支持面は、前記第２の支持面よりも吸収率が低いことが好ましい。
上記構成では、第１の支持面は、第２の支持面よりも吸収率が低いため、例えば、第１の支持面の吸収率を第２の支持面の吸収率以上とするための加工又は材料選択を第１の支持面にしなくてもよくなる。その一方で、第１の支持面を有する支持部の幅方向における中央部は、第２の支持面を有する支持部の幅方向における両端部よりも、外部に熱が移動しにくい点で温度が低下しにくい。このため、より簡易な構造で支持部に支持される媒体の幅方向における温度分布が不均一となることを抑制できる。
【０００８】
上記印刷装置において、前記支持部は、アルミニウムからなり、前記第２の支持面は、アルマイト処理されることが好ましい。
上記構成によれば、第２の支持面の吸収率を高くする構成が容易に実現される。
【０００９】
上記印刷装置は、前記加熱装置と前記支持部との間の加熱領域に気流を発生させる気流発生部をさらに備えることが好ましい。
上記構成によれば、加熱領域に発生する気流によって、加熱領域の温度が不均一になることを抑制できる。その結果、支持部及び支持部に支持される媒体の幅方向における温度分布が不均一となることを抑制できる。
【００１０】
上記印刷装置は、前記加熱領域において、前記第１の支持面と対向する領域に発生する気流と、前記第２の支持面と対向する領域に発生する気流と、の間に速度差が生じるように、前記気流発生部を駆動することが好ましい。
【００１１】
上記構成によれば、第２の支持面と対向する領域と第１の支持面と対向する領域とに圧力差が生じることで、圧力の高い領域から圧力の低い領域に向かう気流が発生しやすくなる。その結果、第１の支持面と対向する領域の比較的高温の気体と、第２の支持面と対向する領域の比較的低温の気体とが混ざり合う。こうして、支持部及び支持部に支持される媒体の幅方向における温度分布が不均一となることをより抑制できる。
【図面の簡単な説明】
【００１２】
【図１】一実施形態に係る印刷装置の概略構成を示す側面図。
【図２】上記印刷装置の第２の支持部及び加熱装置の概略構成を示す側面図。
【図３】図２における３−３線矢視断面図。
【図４】上記印刷装置の作用を示す第２の支持部及び加熱装置の断面図。
【発明を実施するための形態】
【００１３】
以下、印刷装置の一実施形態について図面を参照しつつ説明する。なお、本実施形態の印刷装置は、用紙などの媒体にインクを吐出し、文字及び画像を形成するインクジェットプリンターである。
【００１４】
図１に示すように、印刷装置１０は、媒体Ｍを繰り出す繰出部２０と、媒体Ｍを支持する第１の支持部３０と、媒体Ｍを搬送する搬送部４０と、媒体Ｍに印刷を行う印刷部５０と、印刷済みの媒体Ｍを支持する支持部の一例としての第２の支持部６０と、媒体Ｍを加熱する加熱装置７０と、を備えている。また、印刷装置１０は、印刷装置１０の構成部材を収容する筐体１１と、筐体１１を支持する支持脚１２と、を備えている。
【００１５】
なお、以降の説明では、印刷装置１０の長手方向を「幅方向Ｘ」とし、媒体Ｍが搬送される方向を「搬送方向Ｙ」とし、印刷装置１０の高さ方向を「鉛直方向Ｚ」とする。本実施形態において、幅方向Ｘは、搬送方向Ｙ及び鉛直方向Ｚの両方向と異なる方向（直交する方向）である。
【００１６】
図１に示すように、繰出部２０は、媒体Ｍを巻き重ねたロール体Ｒを回転可能に保持する保持部２１を有している。保持部２１は、種類の異なる媒体Ｍを巻き重ねたロール体Ｒ又は幅方向Ｘにおける寸法の異なる媒体Ｍを巻き重ねたロール体Ｒを保持する。繰出部２０は、ロール体Ｒを一方向（図１では反時計方向）に回転させて、ロール体Ｒから巻き解いた媒体Ｍを第１の支持部３０に向かって繰り出す。
【００１７】
第１の支持部３０は、媒体Ｍの搬送経路を構成する第１の支持台３１及び第２の支持台３２を備えている。第１の支持台３１は、搬送部４０よりも搬送方向Ｙにおける上流に設けられ、第２の支持台３２は、搬送部４０よりも搬送方向Ｙにおける下流に設けられる。第１の支持台３１は、繰出部２０から繰り出された媒体Ｍを第２の支持台３２に向けて案内する。第２の支持台３２は、印刷が行われる媒体Ｍを案内（支持）する。なお、本実施形態では、第１の支持部３０及び第２の支持部６０の幅方向Ｘにおける片側（図２では右側）に媒体Ｍの片端（図２では右端）を合わせた状態で媒体Ｍが搬送される。
【００１８】
搬送部４０は、媒体Ｍの搬送経路の下方に配置される駆動ローラー４１と、媒体Ｍの搬送経路の上方に配置される従動ローラー４２と、駆動ローラー４１を駆動する搬送モーター４３と、を備えている。駆動ローラー４１及び従動ローラー４２は、幅方向Ｘを回転軸方向として回転するローラーである。搬送部４０は、駆動ローラー４１及び従動ローラー４２に媒体Ｍを挟んだ状態で搬送モーター４３を駆動し、繰出部２０から繰り出された媒体Ｍを搬送方向Ｙに搬送する。
【００１９】
印刷部５０は、幅方向Ｘに延びるガイド軸５１と、ガイド軸５１に支持されるキャリッジ５２と、媒体Ｍにインクを吐出する吐出部５３と、キャリッジ５２を幅方向Ｘに往復移動させる移動機構５４と、を備えている。
【００２０】
吐出部５３は、複数のノズルが形成されたインクジェットヘッドである。吐出部５３は、第２の支持台３２と対向するようにキャリッジ５２に支持されている。移動機構５４は、例えば、モーターと、モーターの回転運動をキャリッジ５２の往復運動に変換する伝達機構と、を含んで構成すればよい。
【００２１】
印刷部５０は、移動機構５４の駆動により、キャリッジ５２を幅方向Ｘに移動させつつ吐出部５３からインクを吐出させる。こうして、印刷部５０は、搬送部４０が搬送する媒体Ｍに対して、１パス分の文字及び画像を印刷する。
【００２２】
図２及び図３に示すように、第２の支持部６０は、幅方向Ｘを長手方向とするベースフレーム６１と、ベースフレーム６１の長手方向における両外側に配置されるサイドフレーム６２と、サイドフレーム６２の上方に配置される案内板６３と、を備えている。
【００２３】
ベースフレーム６１は、第２の支持部６０の底部を構成するフレームである。ベースフレーム６１は、幅方向Ｘを長手方向とする板状をなし、サイドフレーム６２及び案内板６３に比べて板厚が厚くなっている。ベースフレーム６１は、例えば、支持脚１２と連結される。
【００２４】
サイドフレーム６２は、板状をなしている。サイドフレーム６２は、ベースフレーム６１の幅方向Ｘにおける両側に対をなすように設けられている。サイドフレーム６２は、ベースフレーム６１の幅方向Ｘにおける両端部から鉛直上方に延びるように、ベースフレーム６１と連結されている。サイドフレーム６２とベースフレーム６１とは、例えば、ねじ又はリベットなどの締結部材で連結すればよい。
【００２５】
案内板６３は、幅方向Ｘを長手方向とし搬送方向Ｙを短手方向とする板状をなしている。案内板６３は、一対のサイドフレーム６２を幅方向Ｘに橋渡しするように、サイドフレーム６２と連結されている。案内板６３とサイドフレーム６２とは、例えば、ねじ又はリベットなどの締結部材で連結すればよい。
【００２６】
以降の説明では、案内板６３において、媒体Ｍの搬送経路を構成する面を「支持面６４」とする。図３に示すように、支持面６４の幅方向Ｘにおける中央部分を第１の支持面６４１とし、支持面６４の第１の支持面６４１よりも幅方向Ｘにおける外側部分を第２の支持面６４２とする。
【００２７】
幅方向Ｘにおける第２の支持面６４２の長さは、幅方向Ｘにおける第１の支持面６４１の長さよりも短くてもよい。ただし、図３に示すように、第２の支持面６４２は、印刷装置１０が印刷可能な最大幅の媒体Ｍｍａｘを支持面６４上に置いたときに、媒体Ｍｍａｘに隠れることなく露出する領域よりは広い領域であることが好ましい。言い換えれば、支持面６４に最大幅の媒体Ｍｍａｘを置いたときに、媒体Ｍｍａｘを支持しない面を含む面が第２の支持面６４２となる。なお、ここで言う最大幅の媒体Ｍｍａｘとは、印刷装置１０が印刷可能な媒体Ｍのうち、幅方向Ｘにおける長さが最大の媒体Ｍである。
【００２８】
本実施形態では、案内板６３の材質がアルミニウムとされ、第１の支持面６４１及び第２の支持面６４２のうち少なくとも第２の支持面６４２はアルマイト処理される。こうして、第２の支持面６４２は、第１の支持面６４１よりも赤外線の吸収率（放射率）が高く、赤外線の反射率が低くされる。一例として、第２の支持面６４２の吸収率は、波長が８μｍ〜１０μｍの赤外線の吸収率が０．８以上であることが好ましい。なお、赤外線の吸収率は、ＦＴＩＲ（Fourier Transform Infrared Spectroscopy）で測定することが可能である。
【００２９】
以降の説明では、「赤外線の吸収率及び赤外線の反射率」を単に「吸収率及び反射率」とも言う。また、本実施形態では、案内板６３は、厚みを有する金属板であるため、支持面６４の赤外線の透過率は「０（零）」であるとする。
【００３０】
図２及び図３に示すように、加熱装置７０は、第２の支持部６０の支持面６４と対向する領域に配置されている。加熱装置７０は、例えば、印刷装置１０の筐体１１又は第２の支持部６０のサイドフレーム６２に支持される。加熱装置７０は、第２の支持部６０の幅方向Ｘに亘って延びる下部カバー７１と、下部カバー７１を覆う上部カバー７２と、下部カバー７１及び上部カバー７２を幅方向Ｘにおける両側から覆うサイドカバー７３と、を備えている。下部カバー７１は、後述する発熱体８１を支持するブラケット７４を有している。
【００３１】
下部カバー７１及び上部カバー７２の幅方向Ｘにおける長さは、第２の支持部６０の幅方向Ｘにおける長さよりも僅かに長くなっている。このため、下部カバー７１及び上部カバー７２を両側から覆うサイドカバー７３は、幅方向Ｘにおいて、第２の支持部６０（支持面６４）の両側に配置されることとなる。
【００３２】
下部カバー７１、上部カバー７２及びサイドカバー７３の間には、第１の空間７５が形成され、下部カバー７１及びサイドカバー７３の間には、第２の空間７６が形成される。第１の空間７５は、下部カバー７１の上方に形成される空間であり、第２の空間７６は、下部カバー７１の下方に形成される空間である。
【００３３】
第１の空間７５は、第２の支持部６０の搬送方向Ｙにおける上流に開口する上流側開口７７と、第２の支持部６０の搬送方向Ｙにおける下流に開口する下流側開口７８と、を介して外気に通じている。上流側開口７７及び下流側開口７８は、幅方向Ｘに亘って形成されている。第２の空間７６は、搬送方向Ｙにおいて、上流側開口７７と下流側開口７８との間で、第２の支持部６０に面している。
【００３４】
下部カバー７１において、第２の支持部６０の支持面６４と対向する面は、赤外線を反射する反射面（以下、「後方反射面７１１」とも言う。）となっている。また、サイドカバー７３において、第２の空間７６を囲む面は、赤外線を反射する反射面（以下、「側方反射面７３１」とも言う。）となっている。下部カバー７１及びサイドカバー７３の材質を金属とする場合には、それぞれの内側面を鏡面に仕上げることで反射面とすればよい。一例として、後方反射面７１１及び側方反射面７３１の反射率は、０．８以上であることが好ましい。また、後方反射面７１１及び側方反射面７３１は、第１の支持面６４１及び第２の支持面６４２よりも反射率が高く、吸収率が低くされる。一方、後方反射面７１１及び側方反射面７３１は、第１の支持面６４１及び第２の支持面６４２と同様に、透過率が「０（零）」とされる。なお、本実施形態では、サイドカバー７３は、「側方反射板」の一例に相当する。
【００３５】
図２に示すように、加熱装置７０は、幅方向Ｘを長手方向とする発熱体８１と、発熱体８１が挿入される管８２と、気体を送風するファン８３と、を備えている。
発熱体８１及び管８２は、第２の支持部６０の支持面６４に対向するように、下部カバー７１のブラケット７４に支持されている。発熱体８１及び管８２は、支持面６４の幅方向Ｘに亘って設けられている。発熱体８１は、電熱線など、通電によって発熱する構成であればよい。管８２は、熱伝導率が高く、表面の放射率が高いことが好ましい。
【００３６】
ファン８３は、第２の空間７６内において、幅方向Ｘに並ぶように複数配置されている。ファン８３は、図２に白抜き矢印で示すように、下流側開口７８から取り込んだ気体を上流側開口７７に向けて送風する。ファン８３は、「気流発生部」の一例に相当する。
【００３７】
加熱装置７０では、通電により発熱する発熱体８１が管８２を加熱する。そして、管８２がその温度に応じた赤外線を第２の支持部６０の支持面６４及び支持面６４に支持される媒体Ｍに向けて照射する。すると、支持面６４に支持される媒体Ｍの温度が上昇し、媒体Ｍに吐出されたインクの溶媒成分が蒸発する。こうして、加熱装置７０は、幅方向Ｘに亘って、第２の支持部６０及び第２の支持部６０に支持される媒体Ｍを非接触で加熱する。さらに、加熱装置７０では、発熱体８１に通電した状態で、ファン８３を駆動する。すると、第１の空間７５内において、下流側開口７８から上流側開口７７に向かう気流が発生する。これにより、第２の支持部６０（支持面６４）と加熱装置７０との間の加熱領域８４において、搬送方向下流に向かう高温の気流が発生する。その結果、媒体Ｍに吐出されたインクの溶媒成分の蒸発が促進される。
【００３８】
なお、加熱装置７０は、加熱領域８４において、第１の支持面６４１と対向する領域に発生する気流と、第２の支持面６４２と対向する領域に発生する気流と、の間に速度差が生じるように構成されることが好ましい。例えば、加熱装置７０は、複数のファン８３のうち、幅方向Ｘにおける中央からの距離に応じて、出力を大きくしたり、出力を小さくしたりすることで、気流に速度差を生じさせればよい。一例として、幅方向Ｘにおける中央寄りに配置されたファン８３の出力を高くする一方、幅方向Ｘにおける外寄りに配置されたファン８３の出力を低くすることで、気流に速度差を生じさせればよい。
【００３９】
次に、本実施形態の印刷装置１０の作用について説明する。
印刷装置１０において、媒体Ｍに印刷をする場合には、繰出部２０から繰り出された印刷前の媒体Ｍが搬送部４０によって第１の支持部３０まで搬送される。続いて、第１の支持部３０に支持された媒体Ｍに向けて、印刷部５０からインクが吐出され、媒体Ｍに文字及び画像が印刷される。その後、印刷済みの媒体Ｍは、搬送部４０によって第２の支持部６０まで搬送され、加熱装置７０から赤外線が放射されることによって加熱される。こうして、媒体Ｍに吐出されたインクの溶媒成分が蒸発し、媒体Ｍに印刷された文字及び画像が媒体Ｍに定着する。
【００４０】
ここで、加熱装置７０によって加熱される第２の支持部６０において、幅方向Ｘにおける両端部がサイドフレーム６２に連結されていると、第２の支持部６０からサイドフレーム６２を伝ってベースフレーム６１に熱が移動しやすい。また、第２の支持部６０が、幅方向Ｘにおける両端部が印刷装置１０の設置環境における外気に接していると、幅方向Ｘにおける両端部から外気に熱が移動しやすい。その結果、第２の支持部６０の幅方向Ｘにおける両端部の温度が媒体Ｍの幅方向Ｘにおける中央部の温度よりも低下しやすくなることがある。
【００４１】
この点、図３に示すように、本実施形態において、加熱装置７０は、媒体Ｍ（Ｍｍａｘ）を加熱するとき、支持面６４及び支持面６４に支持される媒体Ｍに向けて赤外線を放射する。加熱装置７０から放射される赤外線のうち、第２の支持部６０とは逆側に向かう赤外線は、加熱装置７０の下部カバー７１の後方反射面７１１によって、支持面６４及び支持面６４に支持される媒体Ｍ（Ｍｍａｘ）に向けて反射される。また、加熱装置７０から放射される赤外線のうち、支持面６４の外側に向かう赤外線は、加熱装置７０のサイドカバー７３の側方反射面７３１によって、第２の支持面６４２に向けて反射される。
【００４２】
その結果、第２の支持部６０の幅方向Ｘにおける両端部の赤外線の吸収量が増大し、第２の支持部６０の幅方向Ｘにおける両端部の温度が低下しにくくなる。第２の支持面６４２は、アルマイト処理されているため、第２の支持部６０の幅方向Ｘにおける両端部の温度がより低下しにくくなる。
【００４３】
その一方で、加熱装置７０は、ファン８３を駆動し、加熱領域８４に搬送方向Ｙにおける上流から下流に向かう気流を発生させる。本実施形態では、第１の支持面６４１と対向する領域に発生する気流と第２の支持面６４２と対向する領域に発生する気流との間に速度が生じる。このため、第１の支持面６４１と対向する領域と第２の支持面６４２と対向する領域との間に圧力差が生じ、双方の領域の気体が混ざりやすくなる。こうして、加熱領域８４の幅方向Ｘにおける温度のばらつきが抑制される。その結果、加熱領域８４に面する第２の支持部６０及び第２の支持部６０に支持される媒体Ｍにおいて、幅方向Ｘにおける温度分布が均一化される。
【００４４】
また、図４に示すように、幅方向Ｘにおける長さが比較的短い媒体Ｍに印刷をする場合にも、幅方向Ｘにおける長さが長い媒体Ｍ（Ｍｍａｘ）に印刷をする場合と同様に、媒体Ｍの幅方向Ｘにおける温度分布が均一化される。すなわち、上述したように、第２の支持面６４２が赤外線を吸収することで、第２の支持部６０の幅方向Ｘにおける第１端（図４では右端）の温度が低下しにくくなる。その一方で、第２の支持部６０の幅方向Ｘにおける中央部は、一旦加熱されると外部に熱が移動しにくく、温度が低下しにくい。こうして、幅方向Ｘにおける長さが比較的短い媒体Ｍに印刷をする場合にも、媒体Ｍの幅方向Ｘにおける温度分布が均一化される。
【００４５】
こうして、加熱装置７０は、第２の支持部６０に支持される幅方向Ｘにおける長さの異なる媒体Ｍを幅方向Ｘにおいて略均一に加熱できる。その結果、媒体Ｍにおいて、第１の支持面６４１に支持される部分が、第２の支持面６４２に支持される部分よりも早期に乾燥することが抑制され、印刷画像の色ムラが発生したり、媒体Ｍにシワが生じたりすることが抑制される。
【００４６】
以上説明した実施形態によれば、以下に示す効果を得ることができる。
（１）支持面６４において幅方向Ｘにおける外側部分を構成する第２の支持面６４２の吸収率が側方反射面７３１の吸収率よりも高くされるため、第２の支持面６４２が赤外線を吸収しやすくなる。このため、第２の支持部６０の幅方向Ｘにおける両端部の赤外線吸収量が増大し、第２の支持部６０の幅方向Ｘにおける両端部の温度が低下しにくくなる。したがって、第２の支持部６０及び第２の支持部６０が支持する媒体Ｍの幅方向Ｘにおける温度分布が不均一となることを抑制できる。
【００４７】
（２）第１の支持面６４１は、第２の支持面６４２よりも吸収率が低いため、第１の支持面６４１の吸収率を第２の支持面６４２の吸収率以上とするための加工を第１の支持面６４１にしなくてもよくなる。その一方で、第１の支持面６４１を有する第２の支持部６０の幅方向Ｘにおける中央部は、第２の支持面６４２を有する第２の支持部６０の幅方向Ｘにおける両端部よりも、外部に熱が移動しにくい点で温度が低下しにくい。このため、より簡易な構造で第２の支持部６０及び第２の支持部６０が支持する媒体Ｍの幅方向Ｘにおける温度分布が不均一となることを抑制できる。
【００４８】
（３）第２の支持部６０は、アルミニウムで構成され、第２の支持面６４２はアルマイト処理される。このため、印刷装置１０は、第２の支持面６４２の吸収率を高くする構成を容易に実現できる。
【００４９】
（４）加熱装置７０が、加熱領域８４に送風するため、加熱領域８４における温度が不均一になることを抑制できる。その結果、印刷装置１０は、第２の支持部６０及び第２の支持部６０に支持される媒体Ｍの幅方向Ｘにおける温度分布が不均一となることを抑制できる。
【００５０】
（５）第１の支持面６４１と対向する領域の気体と第２の支持面６４２と対向する領域の気体とを混ざりやすくしたことで、これらの領域の温度差が小さくされる。こうして、印刷装置１０は、第２の支持部６０及び第２の支持部６０に支持される媒体Ｍの幅方向Ｘにおける温度分布が不均一となることを抑制できる。
【００５１】
（６）第２の支持面６４２を、最大幅の媒体Ｍｍａｘを支持面６４に置いたときに媒体Ｍｍａｘに隠れることなく露出する領域よりも広い領域とした。このため、媒体Ｍを搬送時に媒体Ｍが斜行した場合であっても、支持面６４の幅方向Ｘにおける外側部分における赤外線吸収量が低下することを抑制できる。
【００５２】
なお、上記実施形態は、以下に示すように変更してもよい。
・第２の支持部６０は、案内板６３の裏側において、幅方向Ｘにおける中央部に放熱フィンを有してもよい。これによれば、第２の支持部６０の幅方向Ｘにおける中央部の温度が低下しやすくなる。これにより、印刷装置１０は、第２の支持部６０の幅方向Ｘにおける中央部と両端部との温度差を小さくできる。
【００５３】
・第２の支持部６０の第２の支持面６４２の吸収率は、媒体Ｍの印刷面の吸収率以上であることが好ましい。これによれば、第２の支持面６４２が赤外線を吸収しやすくなり、第２の支持部６０の幅方向Ｘにおける両端部の温度低下をより抑制できる。
【００５４】
・第２の支持部６０の第２の支持面６４２は、赤外線を吸収しやすい色で着色することで赤外線の吸収面としてもよい。
・第２の支持部６０の第１の支持面６４１及び第２の支持面６４２は、ともにアルマイト処理をしてもよいし、ともにアルマイト処理をしなくてもよい。
【００５５】
・加熱装置７０は、搬送方向Ｙにおいて、複数の発熱体８１及び管８２を備えてもよい。
・加熱装置７０は、幅方向Ｘにおいて、複数の発熱体８１を備えてもよい。この場合には、幅方向Ｘにおける外寄りに配置された発熱体８１の出力を、幅方向Ｘにおける中央寄りに配置された発熱体８１の出力よりも高くしてもよい。これによれば、幅方向Ｘにおける媒体Ｍの温度分布が不均一となることをさらに抑制できる。
【００５６】
・加熱装置７０は、第１の支持面６４１及び第２の支持面６４２の一方の面に上流側開口７７を開口させて、第１の支持面６４１と対向する領域と第２の支持面６４２と対向する領域とに発生する気流に速度差を設けてもよい。また、加熱装置７０は、第１の支持面６４１及び第２の支持面６４２の一方の面に下流側開口７８を開口させて、第１の支持面６４１と対向する領域と第２の支持面６４２と対向する領域とに発生する気流に速度差を設けてもよい。
【００５７】
・加熱装置７０は、加熱領域８４に気流を発生させるための構成を備えなくてもよい。
・印刷装置１０は、第１の支持部３０及び第２の支持部６０の幅方向Ｘにおける中心に媒体Ｍの中心を揃えた状態で搬送してもよい。
【００５８】
・ファン８３は、チューブポンプ又はダイヤフラムポンプなどの吸引ポンプであってもよい。この場合、吸引ポンプが「気流発生部」の一例に相当する。
・印刷装置１０の吐出部５３が吐出するインクは、熱硬化型のインクであってもよい。
【００５９】
・印刷装置１０は、インクジェットプリンターでなくてもよい。例えば、印刷装置１０は、レーザープリンター、ＬＥＤプリンター、熱転写プリンターなどのノンインパクトプリンターでもよいし、ドットインパクトプリンターなどのインパクトプリンターでもよい。
【００６０】
・印刷装置１０が印刷対象とする媒体Ｍは、用紙の他、樹脂フィルムであってもよいし、布帛であってもよい。
【符号の説明】
【００６１】
１０…印刷装置、１１…筐体、１２…支持脚、２０…繰出部、２１…保持部、３０…第１の支持部、３１…第１の支持台、３２…第２の支持台、４０…搬送部、４１…駆動ローラー、４２…従動ローラー、４３…搬送モーター、５０…印刷部、５１…ガイド軸、５２…キャリッジ、５３…吐出部、５４…移動機構、６０…第２の支持部、６１…ベースフレーム、６２…サイドフレーム、６３…案内板、６４…支持面、６４１…第１の支持面、６４２…第２の支持面、７０…加熱装置、７１…下部カバー、７１１…後方反射面、７２…上部カバー、７３…サイドカバー（側方反射板の一例）、７３１…側方反射面、７４…ブラケット、７５…第１の空間、７６…第２の空間、７７…上流側開口、７８…下流側開口、８１…発熱体、８２…管、８３…ファン（気流発生部の一例）、８４…加熱領域、Ｍ…媒体、Ｍｍａｘ…媒体、Ｒ…ロール体、Ｘ…幅方向、Ｙ…搬送方向、Ｚ…鉛直方向。
【図１】
2018158463.tif 000003
【図２】
2018158463.tif 000004
【図３】
2018158463.tif 000005
【図４】
2018158463.tif 000006